(57)【要約】【課題】液体容器プッシュヘッドの不正開封と異物混入防止保護構造を提供する。【解決手段】不正開封防止装置は、液体容器のプッシュヘッドと容器最上部の間に取り付けられ、上部、下部位置決めユニットを含み。上部位置決めユニットは、プッシュヘッドの液だしチューブの根元に装着され、下部位置決めユニットは、液体容器の入口部に固定される。上部、下部位置決めユニットの間には、リングが間隔を空けて設置される。これにより、液体容器の不正開封及び液だしチューブの出口から異物が容器の内部に進入するのを同時に防止することができる。【選択図】図２
0003119991.tif 000002
【実用新案登録請求の範囲】
【請求項１】
液体容器のプッシュヘッドと当該液体容器の入口部の間に取り付けられ、上部位置決めユニットおよび下部位置決めユニットを含む不正開封防止装置と、
一端が前記上部位置決めユニットの所定位置と接続する延伸部と、
前記延伸部の他端に取り付けられるキャップと、
を有し、
前記上部位置決めユニットは、前記プッシュヘッドの液だしチューブのベースに設置される限定部を有し、前記下部位置決めユニットは、接続部によって前記液体容器の入口部に固定され、前記上部位置決めユニットと前記下部位置決めユニットの間にリングが間隔を空けて設置され、
前記延伸部の他端は、前記液だしチューブの出口方向へ延伸し、
前記キャップは、前記液だしチューブの出口部を完全に密封する、
液体容器プッシュヘッドの不正開封と異物混入防止保護構造。
【請求項２】
前記限定部は、チャック槽状である、
液体容器プッシュヘッドの不正開封と異物混入防止保護構造。
【請求項３】
前記限定部は、筒状である、
液体容器プッシュヘッドの不正開封と異物混入防止保護構造。
【請求項４】
前記接続部は、板状である、
液体容器プッシュヘッドの不正開封と異物混入防止保護構造。
【請求項５】
前記接続部は、環状である、
液体容器プッシュヘッドの不正開封と異物混入防止保護構造。
【請求項６】
前記キャップは、カバーである、
液体容器プッシュヘッドの不正開封と異物混入防止保護構造。
【請求項７】
前記キャップは、栓である、
液体容器プッシュヘッドの不正開封と異物混入防止保護構造。
【考案の詳細な説明】
【技術分野】
【０００１】
本考案は、液体容器プッシュヘッドの不正開封と異物混入防止保護構造に関し、具体的に、プッシュヘッドの不正開封防止装置に延伸部及びキャップを増設することで液だしチューブの出口を完全に密封し、異物の進入を防止できる液体容器プッシュヘッドの構造に関する。
【背景技術】
【０００２】
現在、液体容器を使用した製品（例えば乳液ボトル）の多くは、プッシュヘッド部を下降させ、ボトル口に密着した未開封の状態で陳列されている。使用する時は、プッシュヘッドをある角度まで回すとプッシュヘッドが上がり、手で押すと中の液体を出すことができる。しかし、消費者が売り場で商品を選ぶ時に、誤って前述のプッシュヘッド部を回転させてしまうことがあり、仮にプッシュヘッド再び押し込んで未開封状態まで回復させたとしても、この一連の開閉動作により中身の乳液が押し出されてしまう可能性があり、製品の品質に影響する。この問題を解決するために、ある業者は液体容器プッシュヘッドの不正開封防止構造を開発した。しかし、それは、主に一つの上部位置決めユニット及び一つの下部位置決めユニットを含み、上部位置決めユニットは、液体容器のプッシュヘッドを制御する役割を果たし、下部位置決めユニットは、液体容器のボトル口に固定される。上部、下部位置決めユニットの間には、リングが間隔を空けて設置されている。この設計により、消費者が普通の力でプッシュヘッドを開けようとすると、前述のリングの牽制を受けるため、それ以上回せなくなる。商品を購入してからリングが切れるまで、やや大きい力で回すようにするとプッシュヘッドを上手く開けることができる。この液体容器は、プッシュヘッドの不正開封を防止できるが、そのプッシュヘッドの液だしチューブ部は、下記のような問題点を抱えている。そのプッシュヘッドの液だしチューブは、常に開放された管口を有する。液だしチューブは、横向きに伸びているため、陳列時に何者かによって異物を入れられる可能性が高いだけではなく、液だしチューブの内部に埃や異物が溜り易く、製品の品質を低下させ、業者の名誉を傷つけることにもなる。
【０００３】
よって、既存の液体容器の問題点を改善し、より理想的な実用性を有する新型構造を開発することは、関連業者の目指すところである。
【０００４】
発明者は、関連製品の設計開発に携わってきた経験を活かし、上述の目標を達成すべく、工夫を凝らした設計を取り入れ、慎重に評価を重ねた後にやっとこのような実用性をもつ発明品を開発したのである。
【考案の開示】
【考案が解決しようとする課題】
【０００５】
本考案の目的は、プッシュヘッドの不正開封及び異物進入を防止できる液体容器プッシュヘッドの構造を提供することにある。
【課題を解決するための手段】
【０００６】
異物混入及びチューブ内に埃や異物が溜まる等といった従来の液体容器プッシュヘッドの液だしチューブの問題点を改善し、液体容器のプッシュヘッドと容器最上部の間に不正開封防止装置を取り付ける。その不正開封防止装置は、上部、下部位置決めユニットを含み、上部位置決めユニットは、プッシュヘッドの液だしチューブの根元に装着され、下部位置決めユニットは、液体容器の口部に固定される。上部、下部位置決めユニットの間には、リングが間隔を空けて設置される。
【考案の効果】
【０００７】
本考案は、液体容器の不正開封防止装置の上部位置決めユニットに液だしチューブの出口まで伸びる延伸部を増設し、さらに延伸部の末端にキャップを設けて液だしチューブの出口を密封するという独創的な設計を採り入れている。この創意工夫により、液体容器の不正開封及び液だしチューブの出口から異物が容器の内部に進入するのを同時に防止することができ、商品の品質と業者の名誉を確実に守ることができる実用的な考案となる。
【考案を実施するための最良の形態】
【０００８】
次に、添付した図面を参照しながら、本考案の好適な実施形態を詳細に説明する。
【０００９】
図１〜図３は、本考案における液体容器プッシュヘッドの不正開封防止及び異物防止の構造に関する好適な実施例を示す図である。
【００１０】
不正開封防止装置Ａは、液体容器のプッシュヘッド１０と容器２０の最上部２１の間に取り付けられ、上部位置決めユニット３０及び下部位置決めユニット４０を含む。上部位置決めユニット３０は、プッシュヘッド１０の液だしチューブ１１の根元１１２に装着できる限定部３１を有する。下部位置決めユニット４０は、ある接続部４１によって容器２０の最上部２１に固定され、上部、下部位置決めユニット３０と４０には、リング５０が間隔を空けて設置される。
【００１１】
延伸部６０の先端は、上部位置決めユニット３０の所定部位（本実施例では限定部３１の先端箇所）と連結し、延伸部６０の末端は、液だしチューブ１１の出口１１４へ延びる。
【００１２】
キャップ７０は、延伸部６０の末端に取り付けられ、液だしチューブ１１の出口１１４を完全に密封し、異物進入防止の役割を果たす。キャップ７０は、例として、図３に示すように、液だしチューブ１１の出口１１４に被せることができるカバー、或いは、図７と図８に示すように、液だしチューブ１１の出口１１４内部に設置する栓体式キャップ７０Ｂである。キャップ７０は、延伸部６０を通じて上部位置決めユニット３０に固定されるため、簡単に開封することはできない。リング５０が切れるまでプッシュヘッド１０を強制的に回し、上部位置決めユニット３０と下部位置決めユニット４０が解除された時にキャップ７０が外れ、液だしチューブ１１の出口１１４から液を出すことができる。
【００１３】
上部位置決めユニット３０の限定部３１は、図３に示すように、Ｃ型半管状のチャック槽となり、チャック方式で液だしチューブ１１を固定する。また、図５に示された限定部３１Ｂは、筒状となっており、貫通方式で液だしチューブ１１を固定する。
【００１４】
下部位置決めユニット４０の接続部４１は、図３に示すように、幅がボトル２０の最上部２１の局所だけを占める板ブロック状となり、或いは、図４図に示すように、接続部４１Ｂは、ボトル全体２０の最上部２１を囲む環状フレームを採ることもできる。
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００１５】
【図１】本考案における好適な実施例の液体容器プッシュヘッドの立体図である。
【図２】本考案における好適な実施例の液体容器プッシュヘッドの断面図である。
【図３】本考案における不正開封防止装置のキャップの立体図である。
【図４】本考案における不正開封防止装置の下部位置決めユニットの接続部を示す図である。
【図５】本考案における不正開封防止装置の上部位置決めユニットの限定部を示す図である。
【図６】図５に示される上部位置決めユニットのリミットの断面図である。
【図７】本考案のキャップを示す他の図である。
【図８】図７に示されるキャップの断面図である。
【符号の説明】
【００１６】
Ａ  不正開封防止装置
１０  プッシュヘッド
１１  液だしチューブ
１１２  根元
１１４  出口
２０  容器
２１  最上部
３０  上部位置決めユニット
３１、３１Ｂ  限定部
４０  下部位置決めユニット
４１、４１Ｂ  接続部
５０  リング
６０  延伸部
７０、７０Ｂ  キャップ
【図１】
0003119991.tif 000003
【図２】
0003119991.tif 000004
【図３】
0003119991.tif 000005
【図４】
0003119991.tif 000006
【図５】
0003119991.tif 000007
【図６】
0003119991.tif 000008
【図７】
0003119991.tif 000009
【図８】
0003119991.tif 000010
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
液体容器のプッシュヘッドと当該液体容器の入口部の間に取り付けられ、上部位置決めユニットおよび下部位置決めユニットを含む不正開封防止装置と、
一端が前記上部位置決めユニットの所定位置と接続する延伸部と、
前記延伸部の他端に取り付けられるキャップと、
を有し、
前記上部位置決めユニットは、前記プッシュヘッドの液だしチューブのベースに設置される限定部を有し、前記下部位置決めユニットは、接続部によって前記液体容器の入口部に固定され、前記上部位置決めユニットと前記下部位置決めユニットの間にリングが間隔を空けて設置され、
前記延伸部の他端は、前記液だしチューブの出口方向へ延伸し、
前記キャップは、前記液だしチューブの出口部を完全に密封する、
液体容器プッシュヘッドの不正開封と異物混入防止保護構造。
【請求項２】
前記限定部は、チャック槽状である、
請求項１に記載の液体容器プッシュヘッドの不正開封と異物混入防止保護構造。
【請求項３】
前記限定部は、筒状である、
請求項１に記載の液体容器プッシュヘッドの不正開封と異物混入防止保護構造。
【請求項４】
前記接続部は、板状である、
請求項１に記載の液体容器プッシュヘッドの不正開封と異物混入防止保護構造。
【請求項５】
前記接続部は、環状である、
請求項１に記載の液体容器プッシュヘッドの不正開封と異物混入防止保護構造。
【請求項６】
前記キャップは、カバーである、
請求項１に記載の液体容器プッシュヘッドの不正開封と異物混入防止保護構造。
【請求項７】
前記キャップは、栓である、
請求項１に記載の液体容器プッシュヘッドの不正開封と異物混入防止保護構造。